(57)【要約】【課題】  複数の同一画像出力装置を同一環境設定にて同時使用し、画像出力を高速に処理することを所望した際に使用画像出力装置の環境設定をユーザーに煩雑な作業をさせることなく統一設定にする。【解決手段】  同一インターフェース上に複数台の同一画像出力装置が接続されている画像出力システムにおいて、任意の一台の画像出力装置の環境パラメータ設定を変更することで、同時に他の同一画像出力装置の環境パラメータ設定を連動適用させることにより、環境パラメータ設定の統一設定を可能とする。これにより、ユーザーに煩雑な作業をさせることなく所望する画像出力装置の環境を統一設定にすることができる。【選択図】        図２
2006142607.tif 000002
【特許請求の範囲】
【請求項１】
同一インターフェース上に接続された同一画像出力装置を検出するための同一装置検出手段と任意の画像出力装置に設定された環境パラメータ設定を、他の同一画像出力装置に連動適用させるための連動適用手段と、前記連動適用手段による環境パラメータ設定変更の可否を選択する連動適用選択手段と、前記連動適用選択手段により環境設定変更が許諾されている画像出力装置を検出する連動装置検出手段を有する画像出力装置において、同一インターフェース上に複数台の前記画像出力装置が接続されている画像出力システム上で任意の画像出力装置の環境パラメータ設定変更に連動して、前記連動装置検出手段により検出された装置の環境パラメータ設定を統一設定にする機能を具備することを特徴とする画像出力装置。
【請求項２】
前記画像出力装置において、前記連動適用選択手段により環境パラメータ設定変更が許諾された画像出力装置であっても、使用中である画像出力装置は前記連動装置検出手段による検出に応答しない機能を具備することを特徴とする請求項１に記載の画像出力装置。
【請求項３】
前記画像出力装置において、前記連動装置検出手段により検出された画像出力装置を抽出し、使用者に連動適用の可否を選択させる連動適用指示手段を具備することを特徴とする請求項１または２に記載の画像出力装置。
【請求項４】
前記画像出力装置において、前記連動適用手段により環境パラメータの設定を変更される画像出力装置は、変更前の環境パラメータ設定を保持し、環境パラメータ設定の統一が不要となった時点で元の環境パラメータ設定に戻す環境復元機能を有することを特徴とする請求項１〜３のいずれかに記載の画像出力装置。
【請求項５】
前記画像出力装置において、前記連動適用手段により環境パラメータ設定を変更された画像出力装置は、前記連動適用手段を実行した画像出力装置からのデータ、コマンド以外は環境パラメータ設定に対する要求を受け付けない状態に移行するロック機能を有することを特徴とする請求項１〜４のいずれかに記載の画像出力装置。
【発明の詳細な説明】
【技術分野】
【０００１】
本発明は、同一インターフェース上に接続された複数の画像出力装置に関し、前記画像出力装置に設定される環境パラメータ設定を、複数の画像出力装置に連動、適用させる処理方法に係り、特に複数の画像出力装置を同一環境設定にて同時使用し、画像出力を高速に処理するための画像出力装置に関する。
【背景技術】
【０００２】
近年、画像出力装置においてＰＣ等のデータ処理装置から画像データを受信するために実装されるインターフェースには多種多様なものが存在しているが、ローカルエリアネットワーク（以下ＬＡＮと呼ぶ）の様に複数のデータ処理装置を接続し、ファイルなどのデータ共有を容易にする環境の普及により、画像出力装置においても複数のデータ処理装置が接続されたインターフェース環境に直接接続し、複数のユーザー間で共有使用するためのインターフェースが標準、またはオプションで用意されることが一般的となっている。
【０００３】
そのため、同一インターフェース上に複数のデータ処理装置と画像出力装置を接続し、複数ユーザーおよびデータ処理装置による画像出力装置の共有使用が企業に限らず、学校等の教育機関・家庭等でも一般的に用いられるようになってきた。
【０００４】
また、企業においては、同一インターフェース上に複数のデータ処理装置と複数の画像出力装置を接続し、部署ごと等の必要に応じた範囲内で必要とされる画像出力装置の共有使用が行われているのが一般的である。
【０００５】
その中でも大量の出力を取り扱う出版業界やプリントラボなどでは、同一画像を等しい画質で大量かつ高速に出力するための手段として同一画像出力装置を複数台購入、データ処理装置と共に同一インターフェース上に接続・共有使用し、必要に応じて共有使用している画像出力装置のうち複数台の同一画像出力装置を一時的に特定ユーザーが占有して同時に使用を行い、複数台の同一画像出力装置から一度に出力させる等の手段を用いている企業も少なくない。
【０００６】
また、前記手段を実現するためにデータ処理装置とデータ処理装置に接続された複数台の画像出力装置の中間に配備し、前記各画像出力装置の状態を監視しながら前記データ処理装置から出力される複数枚の印刷データを各頁単位に分割して前記各画像出力装置に並列同時出力し、効率的に印刷処理させることを可能にする方法等も提案されている（例えば、特許文献１参照）。
【０００７】
しかしながら、画像出力装置による出力画質は、プリンタドライバからの印刷モード設定等も然ることながら、各画像出力装置が持つ、使用フォント、印字動作（画質優先・登録優先など）の選択、諧調処理、補正機能、レイアウト処理の有無といった設定値（以下、総じて環境パラメータ設定と呼ぶ）によっても出力結果に影響を与える。
【０００８】
前記環境パラメータの設定は、画像出力装置自体が持つオペレーションパネル上での設定値変更、またはリモートユーザーインターフェース（以下リモートＵＩと呼ぶ）と呼ばれる、データ処理装置から離れた場所にある画像出力装置を、接続されたインターフェース上で各画像出力装置に割り振られているアドレス値、ＬＡＮ環境であればＩＰアドレスを指定して、画像出力装置が持つ設定値変更用のソフトウェアを呼び出し、各画像出力装置の設定値変更を行う必要がある。
【０００９】
そのため、前述のように特定ユーザーが複数の同一画像出力装置を同時に使用し、大量画像出力の高速化を行う際に画質を統一にするためには、同時使用する全ての画像出力装置の環境パラメータ設定を統一する必要性があった。
【特許文献１】特開平１０−３１５７０号公報
【発明の開示】
【発明が解決しようとする課題】
【００１０】
しかしながら、前記の環境パラメータ設定は画像出力装置ごとに個別設定が必要であり、複数台の画像出力装置を統一設定にて用いる場合には、統一環境で使用することを所望する画像出力装置一台ごとにそれぞれの設置場所に赴き、必要台数分の画像出力装置で操作パネルを用いて所望の環境パラメータ値に設定を変更するか、リモートＵＩを用いて各個のプリンタを指定するためのアドレスを一台ずつ指定し、統一設定で使用したい台数分の設定変更を個別に行う必要があり、ユーザーに煩雑な作業を実施させる必要性があった。
【００１１】
また、前述のように画像出力装置を複数ユーザーにより共有使用している環境においては、複数の同一画像出力装置の同時使用を所望するユーザーが、時間をかけて一台ごとに画像出力装置の環境パラメータ設定を変更し、統一設定を実現したとしても、画像データ送信前、あるいは設定中に他ユーザーにより環境パラメータ設定を再度変更されてしまう可能性もあり、統一設定で出力したつもりであっても出力結果が異なっているといった問題があった。
【００１２】
さらに、前記特許文献１の従来提案においても前記問題点は考慮されておらず、必要に応じて使用者が個別に設定変更するなどの煩雑な作業を行わざるを得なかった。
【００１３】
本発明は、以上の点に着目して成されたもので、使用者が同時に同一ネットワーク上の複数台の画像出力装置を使用することを所望した際に、画像出力装置ごとの環境パラメータ設定を個別設定するような煩雑さを軽減することが可能となり、さらに連動適用される画像出力装置において、連動適用した画像出力装置が不要となった時点で使用者の手を煩わせることなく元の環境パラメータ設定に戻すことが可能となり、より利便性を向上することができる画像出力装置を提供することを目的とする。
【課題を解決するための手段】
【００１４】
本発明は前記課題を解決するもので、画像出力装置上に同一インターフェース上に接続されている同一画像出力装置を検出するための同一装置検出手段と任意の画像出力装置に設定された環境パラメータ設定を他の同一画像出力装置に連動適用させるための連動適用手段とを設け、特定ユーザーが複数台の同一画像出力装置を一時的に占有して同時使用することを所望した際に、一台の画像出力装置の環境パラメータ設定を変更することで、同時に他の同一画像出力装置の環境パラメータ設定も連動適用させることにより従来ユーザーに実施させていた画像出力装置ごとの環境パラメータ設定を個別設定するような煩雑さを軽減させ、一台の画像出力装置の設定値のみ変更することで環境パラメータ設定の統一設定を可能とする。
【００１５】
但し、複数台の同一画像出力装置を必要とする場合であっても、同一インターフェース上にある全ての同一画像出力装置を占有してしまった場合には、同一インターフェース上の他のデータ処理装置からの前記画像出力装置を用いた出力ができなくなってしまい、問題となる可能性が高いため、前記連動適用手段による環境パラメータ設定変更の連動適用可否を選択する連動適用選択手段および前記連動適用選択手段により環境設定変更の連動適用が許諾されている画像出力装置を検出する連動装置検出手段を設け、ユーザーが予め連動適用選択手段により連動適用する画像出力装置を選択しておくことで、前記連動装置検出手段により検出される画像出力装置を限定し、統一設定を所望する画像出力装置の環境パラメータ設定のみ統一設定に変更することを可能とする構成とした。
【００１６】
さらに前記連動適用選択手段により環境パラメータ設定変更の連動適用が許諾されている画像出力装置であっても使用中であった場合には、環境パラメータ設定を変更されてしまうと画質に影響が出てしまうため、使用中は前記連動装置検出手段による検出に応答しない機能有する構成とした。
【００１７】
また、使用者が前記連動適用選択手段により連動適用が許諾されている全ての画像出力装置で常に連動適用を所望することは少ないため、前記連動装置検出手段により検出された画像出力装置を抽出し、使用者に連動適用の可否を選択させる連動適用指示手段を具備する構成とした。
【００１８】
さらに、連動適用手段により環境パラメータの設定を変更される画像出力装置は、変更前の環境パラメータ設定を保持し、環境パラメータ設定の統一が不要となった時点で元の環境パラメータ設定に戻す環境復元機能を有することで使用者の手を煩わせることなく元の環境パラメータ設定に戻すことを可能とする構成とした。
【００１９】
また、前記連動適用手段により環境パラメータ設定を変更された画像出力装置は、設定後に他の使用者により環境パラメータ設定を再度変更されてしまうことを防止するため、前記連動適用手段を実行した画像出力装置からのデータ、コマンド以外は環境パラメータ設定に対する要求を受け付けない状態に移行するロック機能を有する構成とした。
【００２０】
なお、さらに説明すれば、本発明の第一の発明について下記のように示す。
【００２１】
（１）同一インターフェース上に接続された同一画像出力装置を検出するための同一装置検出手段と任意の画像出力装置に設定された環境パラメータ設定を、他の同一画像出力装置に連動適用させるための連動適用手段と、前記連動適用手段による環境パラメータ設定変更の可否を選択する連動適用選択手段と、前記連動適用選択手段により環境設定変更が許諾されている画像出力装置を検出する連動装置検出手段を有する画像出力装置において、同一インターフェース上に複数台の前記画像出力装置が接続されている画像出力システム上で任意の画像出力装置の環境パラメータ設定変更に連動して、前記連動装置検出手段により検出された装置の環境パラメータ設定を統一設定にする機能を具備することを特徴とする画像出力装置。
【発明の効果】
【００２２】
本発明によれば、同一ネットワーク上に同機種の画像出力装置が複数存在する画像出力システムにおいて、一つの画像出力装置の環境パラメータ設定を変更することにより、同一ネットワーク上に存在する他の同機種画像出力装置の環境パラメータ設定を必要となる台数分、同一の設定に連動適用することができる。これにより、従来の問題点を解決し、使用者が同時に同一ネットワーク上の複数台の画像出力装置を使用することを所望した際に、画像出力装置ごとの環境パラメータ設定を個別設定するような煩雑さを軽減することが可能となる。
【００２３】
さらに連動適用される画像出力装置において環境パラメータ設定の連動適用前データの保存と、連動適用解除後の前記連動適用前環境パラメータ設定の復元機能を追加することにより、連動適用した画像出力装置が不要となった時点で使用者の手を煩わせることなく元の環境パラメータ設定に戻すことが可能となり、より利便性を向上することができる。
【発明を実施するための最良の形態】
【００２４】
以下本発明を実施するための最良の形態を、実施例により詳しく説明する。
【実施例１】
【００２５】
以下、図面を参照して本発明に係る第一実施例について詳細に説明する。
【００２６】
図１は、本実施例における画像出力システムの一例を示す図である。図１においてネットワーク１０１にはデータ処理装置１０２、および画像出力装置１０３〜１０５が接続されており、画像出力装置１０３〜１０５は同機種である。
【００２７】
この画像出力システムにおける処理の概略動作は下記のようになる。
【００２８】
使用者はデータ処理装置１０２上にてアプリケーションソフトウェア等を用いて文書、図面などの印刷する元データを作成し、接続されたネットワーク１０１を介して、同一ネットワークに接続されている画像出力装置１０３〜１０５のいずれかを選択し、選択した画像出力装置に印刷実行命令と印刷データを送信し印刷を実行する。
【００２９】
図２は、上述した図１に示す画像出力装置１０３〜１０５の構成例を示すブロック図である。本装置は各部相互に内部バス２０８で接続されているＣＰＵ２０１、ＲＯＭ２０２、ＲＡＭ２０３、ネットワークインターフェース２０４、オペレーションパネル２０５、エンジンインターフェース２０６とエンジンインターフェース２０６に接続された印刷エンジン２０７から構成されている。
【００３０】
本発明の処理手段に相当するＣＰＵ２０１は、ＲＯＭ２０２に格納されている処理プログラムおよび画像処理装置の制御プログラムに従って種々の処理を実行する。ＲＯＭ２０２は電気的に書き換え可能な不揮発性のメモリから構成されており、前記制御プログラムの他に、環境パラメータの設定データ、自装置の機種を示す機種識別子、連動適用許可状態を示すフラグデータ、ネットワークインターフェースに各個に重複することなく割り当てられるＩＰアドレスなども合わせて保持し、必要に応じて読み出し、書き換えなどが行われる。ＲＡＭ２０３はＣＰＵ２０１のワークメモリとして動作する。
【００３１】
ネットワークインターフェース２０４はコネクタおよび各インターフェースの通信仕様に基づいたデータの送受信を行うための通信回路、各種設定値、およびネットワークインターフェースが重複することなく各個に有するＭＡＣアドレスなどを保存するためのＥＥＰＲＯＭ等から構成されており、インターフェースケーブルを用いてデータ処理装置と接続され、データ処理装置から印刷データの受信を行う。
【００３２】
オペレーションパネル２０５は使用者による装置に対する設定の入力を行う入力機能、および装置から使用者への通知を行うための表示装置を備えており、本実施例において環境パラメータ設定、および連動適用許可の設定など使用者の指示入力のために使用する。
【００３３】
エンジンインターフェース２０６はネットワークインターフェース２０４を介してデータ処理装置から受信した印刷データをＣＰＵ２０１、ＲＡＭ２０３を用いて処理し、出力可能なデータ形式に変換したものを印刷エンジン部２０７に転送する。印刷エンジン部２０７は具体的には、記録媒体に色材を転写することによって画像を形成する画像形成ユニットおよび記録媒体の給紙・排紙を行う用紙搬送機構、各種エラー検出用のセンサーなどから構成されている。
【００３４】
画像出力装置１０３〜１０５は同機種であるため、全て同一の構成となる。
【００３５】
本発明によれば同一ネットワーク上に同機種の画像出力装置（例えば画像出力装置１０３〜１０５）が複数存在するような場合に、ネットワーク上の一つの画像出力装置において、使用者により前記オペレーションパネル２０５を用いて設定された環境パラメータ設定が変更された場合に、同一ネットワーク上の他の同機種の画像出力装置の環境パラメータ設定を同一の設定に連動適用することができる。
【００３６】
図３は、図１に示した画像出力システムにおける環境パラメータ設定の連動適用手順を示すフローチャートである。以下、図３を参照し適用手順を説明する。
【００３７】
同図には使用者により直接前記オペレーションパネル２０５を用いて環境パラメータ設定の変更を受ける画像出力装置１０３と前記設定を連動適用する画像出力装置１０４の動作を並列に記してある。実線の矢印でそれぞれの装置内での動作処理の進行を示し、破線の矢印で装置間のデータ、コマンド、ステータスの通信を示している。
【００３８】
まず、ステップＳ３０１において使用者はオペレーションパネル２０５を用いて画像出力装置１０３の環境パラメータ設定を所望の設定に変更を行い、画像出力装置１０３のＲＯＭ２０２に設定データを記憶させる。
【００３９】
この際、画像出力装置１０３はオペレーションパネル２０５上の表示装置を用いて使用者に対し、複数台の同一画像出力装置に環境パラメータ設定を連動適用させることを所望するかを確認し（ステップＳ３０２）、連動適用させないことを選択した場合には、印刷データの受信を待つオンラインモードとなり終了する。
【００４０】
ステップＳ３０２で使用者が同一画像出力装置に環境パラメータ設定を連動適用させることを選択した場合には、ネットワークにブロードキャストで環境パラメータ連動適用要求を送信し（ステップＳ３０３）、一定時間応答を待つ（ステップＳ３０４）。なお、前記応答待ち時間は予めオペレーションパネル２０５を用いて使用者により設定されたデータをＲＯＭ２０２が有しており、その設定時間に従う。
【００４１】
一定時間内に応答が無い場合には、環境パラメータの連動適用が可能な画像出力装置が存在しないことをオペレーションパネル２０５上の表示装置を用いて使用者に通知し（ステップＳ３０５）、終了する。
【００４２】
ここで、ステップＳ３０３で送信した環境パラメータ連動適用要求には画像出力装置１０３の機種識別子を付加してあり、前記要求を受信した（ステップＳ３０６）画像出力装置１０４は装置内に有する機種識別子と同一であるかを判断し（ステップＳ３０７）、同一であった場合には、自装置において連動適用許可がなされているかを確認する（ステップＳ３０８）。なお、本実施例において前記連動適用許可は各装置のオペレーションパネル２０５を用いて予め設定されており、可否情報が前記ＲＯＭ２０２内にフラグとして保持されているデータを参照することで確認を行う。
【００４３】
次に、画像出力装置１０４はステップＳ３０８で連動適用許可がなされていることを確認できた場合には画像出力装置１０４は自装置が未使用状態であることを確認（ステップＳ３０９）し、印刷データの受信および前記画像出力装置１０３以外からのデータ、コマンド受信などを受け付けないロック状態に移行した後、環境パラメータ設定の連動適用が可能であることを画像出力装置１０３に応答する（ステップＳ３１０）。
【００４４】
なお、本実施例において前記応答は画像出力装置１０４に設定されているＩＰアドレス、ＭＡＣアドレスを個体識別情報として付加したデータを送信する。
【００４５】
また、ステップＳ３０７、Ｓ３０８、Ｓ３０９のそれぞれにおいて、機種識別子が一致しない、連動適用許可がなされていない、使用中である場合には前記環境パラメータ連動適用要求には応答せず、要求を受信する前の状態を保持して終了する。
【００４６】
対して画像出力装置１０３において、ステップＳ３０４で一定時間内に応答があった場合には応答した画像出力装置を記憶、オペレーションパネル２０５上の表示装置に一覧表示を行う（ステップＳ３１１）。
【００４７】
この際、応答データに付加されていた個体識別情報であるＩＰアドレス、ＭＡＣアドレスを合わせて表示することで使用者にどの画像出力装置が連動適用可能であるかを明示する。そして、画像出力装置１０３は使用者によりオペレーションパネル２０５を用いて連動適用装置の選択を中止するか（ステップＳ３１２）、連動適用装置の選択がなされる（ステップＳ３１３）まで待機する。
【００４８】
ステップＳ３１２で連動適用装置の選択が中止された場合には、画像出力装置１０３は前記環境パラメータ連動適用要求に応答した装置全てに対し連動非適用装置であることを通知する連動非適用通知を送信し（ステップＳ３１４）、印刷データの受信を待つオンラインモードとなり終了する。
【００４９】
また、ステップＳ３１３で連動適用装置が選択された場合には、選択されなかった画像出力装置に対して連動非適用装置であることを通知する連動非適用通知を送信し（ステップＳ３１５）、選択された画像出力装置に対して、ステップＳ３０１で設定された環境パラメータ設定データを送信する（ステップＳ３１６）。
【００５０】
ここで、ステップＳ３１４、Ｓ３１５、Ｓ３１６で送信する連動非適用通知、環境パラメータ設定データの送信は、応答データに付加されていた個体識別情報であるＩＰアドレス、ＭＡＣアドレスを参照して各装置を指定、送信を行う。本実施例においてはＩＰアドレスを指定して送信している。
【００５１】
そして、画像出力装置１０３は環境パラメータ設定データを送信した全画像出力装置からの連動適用完了通知を受信するまで待機する（ステップＳ３１７）。
【００５２】
対して、画像出力装置１０４はステップＳ３１０での応答後、連動非適用通知を受信（ステップＳ３１８）か、環境パラメータ設定データを受信（ステップＳ３１９）まで待機しており、ステップＳ３１８で連動非適用通知を受信した場合には、ロック状態を解除し（ステップＳ３２２）通常待機状態であるオンライン状態となり終了する。
【００５３】
ステップＳ３１９で環境パラメータ設定データを受信した場合には、装置内のＲＯＭ２０２で保持している環境パラメータ設定を、画像出力装置１０３から受信した環境パラメータ設定データに書き換えを行う（ステップＳ３２０）。そして、画像出力装置１０３に環境パラメータ設定の連動適用が完了したことを通知する連動適用完了通知を送信（ステップＳ３２１）した後、ロック状態を解除し（ステップＳ３２２）通常待機状態であるオンライン状態となり終了する。
【００５４】
ここで、ステップＳ３１７において環境パラメータ設定データを送信した全画像出力装置からの連動適用完了通知受信した画像出力装置１０３は、オペレーションパネル２０５上の表示装置を用いて選択された画像出力装置の連動適用が完了したことを使用者に通知（ステップＳ３２３）し、印刷データの受信を待つオンラインモードとなり終了する。
【００５５】
上述したように、本実施例においては、同一ネットワーク上に同機種の画像出力装置が複数存在する画像出力システムにおいて、一つの画像出力装置１０３の環境パラメータ設定を変更することにより、同一ネットワーク上に存在する他の同機種画像出力装置１０４の環境パラメータ設定を同一の設定に連動適用することができ、使用者が同時に同一ネットワーク上の複数台の画像出力装置を使用することを所望した際に、画像出力装置ごとの環境パラメータ設定を個別設定するような煩雑さを軽減させられることがわかる。
【実施例２】
【００５６】
本発明の第二実施例を図４に示す。第一実施例では環境パラメータ設定の連動適用手順について説明したが、本実施例ではさらに使用者ＩＤによる画像出力要求装置の限定および環境パラメータ設定の連動適用前データの保存と、連動適用解除後の環境パラメータ復元機能を追加した際の例を示す。以下、図４を参照して説明する。
【００５７】
同図には実施例１と同様の形式で、使用者により直接前記オペレーションパネル２０５を用いて環境パラメータ設定の変更を受ける画像出力装置１０３と前記設定を連動適用する画像出力装置１０４の動作を並列に記してある。なお、実施例１と内容の重複する箇所は詳細な説明を省略する。
【００５８】
まず、ステップＳ４０１において使用者は画像出力装置１０３の環境パラメータ設定を所望の設定に変更を行い、画像出力装置１０３のＲＯＭ２０２に設定データを記憶させる。
【００５９】
この際、画像出力装置１０３はオペレーションパネル２０５上の表示装置を用いて使用者に対し、複数台の同一画像出力装置に環境パラメータ設定を連動適用させることを所望するかを確認し（ステップＳ４０２）、連動適用させないことを選択した場合には、通常のオンライン状態に移行して（ステップＳ４３３）、終了する。
【００６０】
ステップＳ４０２で使用者が同一画像出力装置に環境パラメータ設定を連動適用させることを選択した場合には、オペレーションパネル２０５上の表示装置を用いて使用者に対し、使用者が印刷データを送信するデータ処理装置上で使用している使用者ＩＤの記入を要求する（ステップＳ４０３）。そして、オペレーションパネル２０５上の入力機能により使用者ＩＤが入力されると、画像出力装置１０３は自装置を使用者ＩＤが使用されているデータ処理装置からの印刷データの受信およびオペレーションパネル２０５からの連動適用解除要求以外は受け付けないロック状態に移行（ステップＳ４０４）した後、ネットワークにブロードキャストで環境パラメータ連動適用要求を送信し（ステップＳ４０５）、一定時間応答を待つ（ステップＳ４０６）。
【００６１】
一定時間内に応答が無い場合には、環境パラメータの連動適用が可能な画像出力装置が存在しないことをオペレーションパネル２０５上の表示装置を用いて使用者に通知し（ステップＳ４０７）、ロック状態を解除（ステップＳ４３２）、通常のオンライン状態に移行して（ステップＳ４３３）終了する。
【００６２】
ここで、ステップＳ４０５で送信した環境パラメータ連動適用要求には画像出力装置１０３の機種識別子およびステップＳ４０３で入力された使用者ＩＤを付加してあり、前記要求を受信した（ステップＳ４０８）画像出力装置１０４は装置内に有する機種識別子と同一であるかを判断し（ステップＳ４０９）、同一であった場合には、自装置において連動適用許可がなされているかを確認する（ステップＳ４１０）。
【００６３】
次に、画像出力装置１０４はステップＳ４１０で連動適用許可がなされていることを確認できた場合には自装置が未使用状態であることを確認（ステップＳ４１１）し、前記連動適用要求に付加されていた使用者ＩＤが使用されているデータ処理装置からの印刷データの受信およびおよび前記画像出力装置１０３以外からのデータ、コマンド受信以外は受け付けないロック状態に移行した後、環境パラメータ設定の連動適用が可能であることを画像出力装置１０３に応答する（ステップＳ４１２）。
【００６４】
また、ステップＳ４０９、Ｓ４１０、Ｓ４１１のそれぞれにおいて、機種識別子が一致しない、連動適用許可がなされていない、使用中である場合には前記環境パラメータ連動適用要求には応答せず、要求を受信する前の状態を保持して終了する。
【００６５】
対して画像出力装置１０３において、ステップＳ４０６で一定時間内に応答があった場合には応答した画像出力装置を記憶、オペレーションパネル２０５上の表示装置に一覧表示を行う（ステップＳ４１３）。
【００６６】
この際、応答データに付加されていた個体識別情報であるＩＰアドレス、ＭＡＣアドレスを合わせて表示することで使用者にどの画像出力装置が連動適用可能であるかを明示する。そして、画像出力装置１０３は使用者によりオペレーションパネル２０５を用いて連動適用装置の選択を中止するか（ステップＳ４１４）、連動適用装置の選択がなされる（ステップＳ４１５）まで待機する。
【００６７】
ステップＳ４１４で連動適用装置の選択が中止された場合には、画像出力装置１０３は前記環境パラメータ連動適用要求に応答した装置全てに対し連動非適用装置であることを通知する連動非適用通知を送信し（ステップＳ４１６）、前記ロック状態を解除（ステップＳ４３２）した後に、通常のオンラインモードとなり（ステップＳ４３３）終了する。
【００６８】
また、ステップＳ４１５で連動適用装置が選択された場合には、選択されなかった画像出力装置に対して連動非適用装置であることを通知する連動非適用通知を送信し（ステップＳ４１７）、選択された画像出力装置に対して、ステップＳ４０１で設定された環境パラメータ設定データを送信する（ステップＳ４１８）。
【００６９】
ここで、ステップＳ４１６、Ｓ４１７、Ｓ４１８で送信する連動非適用通知、環境パラメータ設定データの送信は、応答データに付加されていた個体識別情報であるＩＰアドレス、ＭＡＣアドレスを参照して各装置を指定、送信を行う。本実施例においてはＩＰアドレスを指定して送信している。
【００７０】
そして、画像出力装置１０３は環境パラメータ設定データを送信した全画像出力装置からの連動適用完了通知を受信するまで待機する（ステップＳ４１９）。
【００７１】
対して、画像出力装置１０４はステップＳ４１２での応答後、連動非適用通知を受信（ステップＳ４２０）か、環境パラメータ設定データを受信（ステップＳ４２１）まで待機し、ステップＳ４２０で連動非適用通知を受信した場合には、ロック状態を解除し（ステップＳ４３８）、通常待機状態であるオンライン状態となり（ステップＳ４３９）終了する。
【００７２】
ステップＳ４２１で環境パラメータ設定データを受信した場合には、装置内で保持している環境パラメータ設定をＲＯＭ２０２の空き領域、またはＲＡＭ２０３に保存し（ステップＳ４２２）、受信した環境パラメータ設定データに書き換えを行う（ステップＳ４２３）。
【００７３】
そして、画像出力装置１０３に環境パラメータ設定の連動適用が完了したことを通知する連動適用完了通知を送信（ステップＳ４２４）した後、オペレーションパネル２０５上の表示装置に動適用要求に付加されていた使用者ＩＤとロック中であることを明示するメッセージを表示（ステップＳ４２５）する。
【００７４】
ここで、ステップＳ４１９において環境パラメータ設定データを送信した全画像出力装置からの連動適用完了通知受信した画像出力装置１０３は、オペレーションパネル２０５上の表示装置を用いて選択された画像出力装置の連動適用が完了したことを使用者に通知（ステップＳ４２６）した後、ステップＳ４０３で入力された使用者ＩＤとロック中であることを明示するメッセージを表示（ステップＳ４２７）する。
【００７５】
そして、前記設定された使用者ＩＤが使用されているデータ処理装置からの印刷データを受信（ステップＳ４２８）するか、オペレーションパネル２０５を用いて連動適用解除指示が与えられる（ステップＳ４２９）まで待機する。
【００７６】
なお、ステップＳ４２８において設定された使用者ＩＤが使用されているデータ処理装置からの印刷データを受信した際には、前記印刷データに基づき印刷エンジン２０７を用いた画像形成を行い（ステップＳ４３０）終了次第、前記待機状態に戻る。
【００７７】
また、ステップＳ４２９において、連動適用解除指示を受けた場合には連動適用装置に対して、ＩＰアドレスを指定して連動適用解除要求を送信し（ステップＳ４３１）、ロック状態を解除した（ステップＳ４３２）後に通常オンライン状態に移行し（ステップＳ４３３）、終了する。
【００７８】
一方、画像出力装置１０４はステップＳ４２５でオペレーションパネル２０５上の表示装置に動適用要求に付加されていた使用者ＩＤとロック中であることを明示するメッセージを表示した後、前記設定された使用者ＩＤが使用されているデータ処理装置からの印刷データを受信（ステップＳ４３４）するか、前記画像出力装置１０３からの連動適用解除要求を受信する（ステップＳ４３５）まで待機する。
【００７９】
なお、ステップＳ４３４において設定された使用者ＩＤが使用されているデータ処理装置からの印刷データを受信した際には、前記印刷データに基づき印刷エンジン２０７を用いた画像形成を行い（ステップＳ４３６）、終了し次第前記待機状態に戻る。
【００８０】
また、ステップＳ４３５において、連動適用解除指示を受けた場合には、ステップＳ４２２で保存した環境パラメータ設定を呼び出し、ＲＯＭ２０２に復元保存を行う（ステップＳ４３７）。そして、ロック状態を解除した（ステップＳ４３８）後に通常オンライン状態に移行し（ステップＳ４３９）終了する。
【００８１】
上述したように、本実施例においては、同一ネットワーク上に同機種の画像出力装置が複数存在する画像出力システムにおいて、一つの画像出力装置の環境パラメータ設定を変更することにより、同一ネットワーク上に存在する他の同機種画像出力装置の環境パラメータ設定を同一の設定に連動適用することができ、さらに使用者ＩＤによる画像出力要求装置の限定機能を追加することにより他の使用者に連動適用した画像出力装置が使用されてしまうことを防止することができる。また連動適用される画像出力装置において環境パラメータ設定の連動適用前データの保存と、連動適用解除後の前記連動適用前環境パラメータ設定の復元機能を追加することにより、連動適用した画像出力装置が不要となった時点で使用者の手を煩わせることなく元の環境パラメータ設定に戻すことが可能となり、より利便性を向上することができる。
【００８２】
なお、本実施例では連動適用される画像出力装置１０４においてのみ環境パラメータ設定の連動適用前データの保存と、連動適用解除後の前記連動適用前環境パラメータ設定の復元機能を持たせているがこれに限らず、使用者により環境パラメータ設定の変更を受ける画像出力装置１０３においても、設定値をＲＯＭ２０２に記憶させる前に変更前環境パラメータ設定を保存しておき、連動適用解除時に復元する構成としても良い。
【００８３】
また、他の使用者に連動適用した画像出力装置が使用されてしまうことを防止するため使用者の識別手段として使用者ＩＤを用いているが、これに限らずパスワードによる識別あるいはそれらを組み合わせて用いることもできる。さらに、本実施例では画像出力装置１０３において連動適用解除指示は、使用者による解除忘れなどを考慮して特に制限なく解除できる構成としているが、前記使用者ＩＤ、パスワードなどを使用して制限を設けても良い。
【００８４】
さらに加えて、本実施例では前記連動適用解除は使用者の指示により解除を行っているが、これに限らず、連動適用状態で動作許可する時間を予め規定し一定時間後に解除される構成としても良い。
【００８５】
なお、前記実施例１および２では使用者により環境パラメータ設定の変更を受ける装置を画像出力装置１０３、前記設定を連動適用する装置を画像出力装置１０４として２台の画像出力装置間での連動適用手順を例にとって説明しているが、２台以上の場合であっても追加する画像出力装置を画像出力装置１０４と同様の制御により動作させることで実現可能である。また、本実施例ではオペレーションパネル２０５による連動適用手順を説明したが、リモートＵＩを用いて実施しても良く、上述の実施例においてオペレーションパネル２０５を用いて表示・設定を行っている箇所をリモートＵＩを用いた表示・設定と置き換えて実施することで実現可能である。
【００８６】
また、言うまでもなく従来提案である前記特許文献１や既に多数提案されている同一ネットワーク上に接続された複数の画像出力装置において印刷データを受信した画像出力装置が他の画像出力にデータのコピーを送信し、複数の画像出力装置で同一画像を並列同時出力させることのより出力の高速化を実現する画像出力システムにおいて本発明を適用することで、より効果を上げることが可能となる。
【図面の簡単な説明】
【００８７】
【図１】本発明を実施するための画像出力システムの構成例を示すブロック図である。
【図２】本発明を実施するための画像出力装置の構成例を示すブロック図である。
【図３】図１に示した画像出力システムにおける環境パラメータ設定の連動適用手順を示すフローチャートである。
【図４】実施例１の環境パラメータ設定の連動適用に加え、画像出力要求装置の限定および環境パラメータ設定の連動適用前データの保存と、連動適用解除後の環境パラメータ復元機能を追加した際の連動適用手順を示すフローチャートである。
【符号の説明】
【００８８】
２０１  ＣＰＵ
２０２  ＲＯＭ
２０３  ＲＡＭ
２０４  ネットワークインターフェース
２０５  オペレーションパネル
２０６  エンジンインターフェース
２０７  印刷エンジン
２０８  内部バス
【図１】
2006142607.tif 000003
【図２】
2006142607.tif 000004
【図３】
2006142607.tif 000005
【図４】
2006142607.tif 000006